(57)【特許請求の範囲】
【請求項１】
容器本体の口部に嵌着されるノズルキャップと、
ノズルキャップの外周に回転自在に取付けられ、容器本体の口部に螺着されるスクリューリングと、
ノズルキャップに螺着されて該ノズルキャップの注出口を覆う計量キャップとを有してなる容器であって、
容器本体とノズルキャップのそれぞれに、それらの周方向で互いに係合する係合部を設け、スクリューリングが容器本体の口部に着脱されるとき、ノズルキャップの係合部が容器本体の係合部に係脱するように構成し、
容器本体の係合部の山とノズルキャップの係合部の山がそれらの締め込み方向で相衝合する急斜面の傾きを反対側の緩斜面の傾きよりも急傾斜にし、
容器本体の係合部の山の緩斜面とノズルキャップの係合部の山の緩斜面の傾きを、容器本体とスクリューリングの互いに螺着するねじの傾きと同じか若しくはそれらの締め込み方向で水平方向に対して大きな角度の傾斜にしてなる容器。
【請求項２】
前記スクリューリングが取付けられたノズルキャップを容器本体の口部に嵌着させた状態下で、
スクリューリングのねじの先端と、容器本体のねじの先端部とが、スクリューリングの回転方向で一致したとき、
ノズルキャップの係合部の山の急斜面と緩斜面の交差部と、容器本体の係合部の山の急斜面と緩斜面の交差部とが、スクリューリングの回転方向で合致する状態で、
ノズルキャップの係合部の山の急斜面と緩斜面の交差部が、容器本体の係合部の山の急斜面と緩斜面の交差部に対して、スクリューリングの軸方向に沿う隙間を有する請求項１に記載の容器。
【請求項３】
前記容器本体の係合部の山の緩斜面と、ノズルキャップの係合部の山の緩斜面に、それらの山の急斜面が相衝合する噛合い係合状態で反締め込み方向に対して係止し合う緩み止め段差部を設けてなる請求項２に記載の容器。
【発明の詳細な説明】
【技術分野】
【０００１】
本発明は容器に関する。
【背景技術】
【０００２】
従来の計量容器として、特許文献１に記載の如く、容器本体の口部に螺着されるノズルキャップと、ノズルキャップに螺着されて該ノズルキャップの注出口を覆う計量キャップとを有してなるものがある。
【０００３】
従来のプッシュポンプ付容器として、特許文献２に記載の如く、ノズルヘッドに一体に取付けられたピストンを摺動可能に収容するシリンダを容器本体の口部内に挿入し、シリンダのフランジを覆うスクリューキャップを容器本体の口部外周に螺着し、該シリンダを容器本体に押え付けて固定するものがある。このとき、シリンダのフランジの内周キー溝を容器本体の口部の外周キー溝に嵌合している。これにより、使用者がこの容器を購入した使用開始当初に、ノズルヘッド及びピストンをリフトアップさせるために、ノズルヘッドを回転させても、ノズルヘッドと一体のピストンを介してシリンダが容器本体の口部に対し相対回転することがなく、シリンダを押えているスクリューキャップがシリンダと共回りして容器本体の口部から外れてしまう不都合を解消しようとするものである。
【先行技術文献】
【特許文献】
【０００４】
【特許文献１】特開2002-234556
【特許文献２】特開2003-192068
【発明の概要】
【発明が解決しようとする課題】
【０００５】
特許文献１に記載の容器は、内容物の詰替え時に、ノズルキャップの全体を容器本体の口部から取り外しでき、広い口部を用いて詰替え容易である。
【０００６】
しかしながら、特許文献１に記載の容器では、内容物を注出する通常使用時に、計量キャップを取り外そうとして回転すると、計量キャップがきつく螺着しているとノズルキャップが共回りし、計量キャップ及びノズルキャップが容器本体の口部から共に外れてしまうという不都合がある。
【０００７】
尚、特許文献２に記載の容器は、ノズルヘッドに連結されているシリンダを容器本体の口部に押え付けて固定するスクリューキャップが、使用者によるこの容器の使用開始当初に、シリンダと共回りして容器本体の口部から外れるのを防止するものであり、通常使用時の計量キャップの取り外し回転に対するノズルキャップの共回りを防止するものと全く異なる。また、内容物の詰替え時に、スクリューキャップを容器本体から取り外すと同時に、シリンダも容器本体の口部から直ちに外れて詰替え容易な広い口部を形成する如くの構造もない。
【０００８】
本発明の課題は、容器の通常使用時における計量キャップの取り外し回転にノズルキャップが共回りして外れることを防止し、内容物の詰替え時にスクリューリングを容器本体から取り外すと同時にノズルキャップも直ちに外れて詰替え容易な広い口部を形成することにある。
【課題を解決するための手段】
【０００９】
請求項１の発明は、容器本体の口部に嵌着されるノズルキャップと、ノズルキャップの外周に回転自在に取付けられ、容器本体の口部に螺着されるスクリューリングと、ノズルキャップに螺着されて該ノズルキャップの注出口を覆う計量キャップとを有してなる容器であって、容器本体とノズルキャップのそれぞれに、それらの周方向で互いに係合する係合部を設け、スクリューリングが容器本体の口部に着脱されるとき、ノズルキャップの係合部が容器本体の係合部に係脱するように構成し、容器本体の係合部の山とノズルキャップの係合部の山がそれらの締め込み方向で相衝合する急斜面の傾きを反対側の緩斜面の傾きよりも急傾斜にし、容器本体の係合部の山の緩斜面とノズルキャップの係合部の山の緩斜面の傾きを、容器本体とスクリューリングの互いに螺着するねじの傾きと同じか若しくはそれらの締め込み方向で水平方向に対して大きな角度の傾斜にしてなるものである。
【発明の効果】
【００１０】
本発明によれば、容器の通常使用時における計量キャップの取り外し回転にノズルキャップが共回りして外れることを防止し、内容物の詰替え時にスクリューリングを容器本体から取り外すと同時にノズルキャップも直ちに外れて詰替え容易な広い口部を形成することができる。
【図面の簡単な説明】
【００１１】
【図１】図１は容器の要部を示す正面図である。
【図２】図２は図１のII−II線に沿う断面図である。
【図３】図３は図１のスクリューリングを一部破断して示す斜視図である。
【図４】図４は図１の計量キャップを取り外した状態を示す斜視図である。
【図５】図５は容器本体の口部を示す斜視図である。
【図６】図６は容器本体の係合部とノズルキャップの係合部を示す模式図である。
【図７】図７は容器本体の係合部とノズルキャップの係合部を示す斜視図である。
【図８】図８は容器本体とノズルキャップの係合部の山の斜面を示す模式図である。
【図９】図９は容器本体とノズルキャップのインナーシール部の密着状態を示す模式図である。
【図１０】図１０は容器本体とノズルキャップの係合部の山の好ましい状態を示す模式図である。
【図１１】図１１は容器本体とノズルキャップの係合部の山の好ましくない状態を示す模式図である。
【発明を実施するための形態】
【００１２】
図１〜図３に示す計量容器１０は、容器本体１１の口部１２に嵌着されるノズルキャップ２０と、ノズルキャップ２０の外周に回転自在かつ軸方向に沿う双方向に係止され、該ノズルキャップ２０に対して軸方向に移動不能に取付けられ、容器本体１１の口部１２に螺着されるスクリューリング３０と、ノズルキャップ２０に螺着されて該ノズルキャップ２０の注出口２５を覆う計量キャップ４０とを有する。容器本体１１、ノズルキャップ２０、スクリューリング３０、計量キャップ４０はそれぞれ樹脂成形にて構成できる。
【００１３】
ノズルキャップ２０は、容器本体１１の口部１２の上端外周に嵌着される嵌着筒部２１と、嵌着筒部２１から上向きに立上がる外筒部２２を有する。嵌着筒部２１の下向き端面には、容器本体１１の口部１２の外周に設けた凹凸状係合部１２Ａと周方向で噛合い係合する凹凸状係合部２１Ａが設けられる（図３）。外筒部２２の外周面には雄ねじ部２２Ａが設けられる。
【００１４】
ノズルキャップ２０は、嵌着筒部２１から延在されて容器本体１１の口部１２の内周面に嵌合される内筒部２３を有する。内筒部２３の内周部は液溜り部２３Ａとされ、液溜り部２３Ａの傾斜状底部２３Ｂに設けた開口２５Ａの縁に沿うＣ字断面状の注出筒２４を立上げ、注出筒２４のＣ字の切り口をスリット２５Ｂとしている。液溜り部２３Ａの底部２３Ｂの最下部には、開口２５Ａとスリット２５Ｂに連なるスリット２５Ｃが設けられる。開口２５Ａ、スリット２５Ｂ、２５Ｃは、ノズルキャップ２０の注出口２５であり、液注出時の空気置換口、液注出後の液戻し口としても機能する。
【００１５】
スクリューリング３０は、環状体３１の上端内周に内方に突出するように設けた環状突部３１Ａを、ノズルキャップ２０の外筒部２２の下部と嵌着筒部２１の上部との間の全周に連続して外方に突出するように設けた環状突部２２Ｂと、外筒部２２における雄ねじ部２２Ａの下部の周方向複数位置において外方に突出するように設けた突部２２Ｃ（図４）とに挟まれる環状溝部２２Ｄに打ち込み係入される。これにより、スクリューリング３０は、ノズルキャップ２０の外周に回転自在かつ軸方向に実質的に移動不能に取付けられる。また、スクリューリング３０は、環状体３１の下端内周に設けた雌ねじ部３１Ｂにより、容器本体１１の口部１２の外周に設けた雄ねじ部１２Ｂに螺着される。
【００１６】
計量キャップ４０は、有底筒状の計量筒部４１の外周中間部に設けた外筒部４２の内周に設けた雌ねじ部４２Ａにより、ノズルキャップ２０の外筒部２２の雄ねじ部２２Ａに螺着される。このとき、外筒部４２の下端は、スクリューリング３０の上部と接することがない。
【００１７】
しかるに、容器１０にあっては、図３、図５に示す如く、容器本体１１の口部１２とノズルキャップ２０の嵌着筒部２１のそれぞれに、前述の如く、それらの周方向で互いに噛合い係合する係合部１２Ａ、２１Ａを設けている。スクリューリング３０の環状体３１の雌ねじ部３１Ｂが容器本体１１の口部１２の雄ねじ部１２Ｂに着脱されるとき、スクリューリング３０と軸方向に沿う双方向で係止しているノズルキャップ２０の係合部２１Ａが容器本体１１の係合部１２Ａに係脱するように構成される。容器本体１１の係合部１２Ａは、樹脂成形の型抜き性を考慮し、その口部１２の直径方向に相対する２カ所の円弧状部のそれぞれにだけ設けられる。ノズルキャップ２０の係合部２１Ａは、嵌着筒部２１の全周に連続して設けられる。
【００１８】
容器１０は以下の如くに組立てられる。
(1)ノズルキャップ２０に取付けられているスクリューリング３０の雌ねじ部３１Ｂを容器本体１１の雄ねじ部１２Ｂに締め付ける。スクリューリング３０により軸方向の一方側に押し付けられるノズルキャップ２０の係合部２１Ａの山１０２の斜面１０２Ａがそれらの締め込み方向（Ｆ）で、容器本体１１の係合部１２Ａの山１０１の斜面１０１Ａに相衝合して係合し、更にスクリューリング３０を締め込んでいくとノズルキャップ２０の回転が両係合部１２Ａ、２１Ａの係合により制止され、固定される（図６、図７）。
【００１９】
(2)ノズルキャップ２０の雄ねじ部２２Ａに計量キャップ４０の雌ねじ部４２Ａを螺着する。尚、上述(1)のノズルキャップ２０の雄ねじ部２２Ａに当初から計量キャップ４０の雌ねじ部４２Ａを螺着しておいても良い。
【００２０】
従って、容器１０によれば以下の作用効果を奏する。
(a)ノズルキャップ２０の外周に回転自在かつ軸方向に沿う双方向に係止されて取付けられているスクリューリング３０を容器本体１１の口部１２に螺着して締め込んでいくと、スクリューリング３０により軸方向の一方向に押し付けられるノズルキャップ２０の係合部２１Ａの山１０２の斜面１０２Ａが容器本体１１の係合部１２Ａの山１０１の斜面１０１Ａに相衝合して係合する。更にスクリューリング３０を締め込んでいくと、ノズルキャップ２０の回転が両係合部１２Ａ、２１Ａの係合により制止され、固定される。
【００２１】
これにより、容器１０から内容物を抽出する通常使用時に、計量キャップ４０をつかんで取り外し回転すると、計量キャップ４０がきつく螺着されているノズルキャップ２０であっても、該ノズルキャップ２０の係合部２１Ａと容器本体１１の係合部１２Ａとの上述の係合により、ノズルキャップ２０は計量キャップ４０の回転に共回りしない。これにより、計量キャップ４０だけを取り外し、内容物をノズルキャップ２０の注出口２５から抽出できる。外筒部４２の下端とスクリューリング３０の上端との間に隙間が存在することで、計量キャップ４０に加えられた回転力がスクリューリング３０に直接伝わらないことにより、より確実に共回りが防止される。
【００２２】
(b)他方、容器１０への内容物の詰替え時には、スクリューリング３０をつかんで容器本体１１の口部１２からゆるめていくと、スクリューリング３０による軸方向の一方向への押し付けを解除されたノズルキャップ２０の係合部２１Ａが容器本体１１の係合部１２Ａとの係合高さ分以上に軸方向へ変位できるようになる結果、それらの係合部１２Ａ、２１Ａの係合を解除され、該ノズルキャップ２０を空転可能にする。これにより、スクリューリング３０と軸方向の他方向にも係止しているノズルキャップ２０は、スクリューリング３０が容器本体１１の口部１２から取り外されると同時に、容器本体１１の口部１２から直ちに外れて詰替え容易な広い口部１２を形成できる。
【００２３】
以下、容器本体１１の係合部１２Ａとノズルキャップ２０の係合部２１Ａの形状がそれらの噛合い係合性に及ぼす影響について説明する。
【００２４】
図６（Ａ）は、容器本体１１の係合部１２Ａの山１０１とノズルキャップ２０の係合部２１Ａの山１０２が、それらの締め込み方向（Ｆ）で相衝合する側の斜面１０１Ａ、１０２Ａの傾きを反対側の斜面の傾きよりも急傾斜面（概ね垂直面）にしたものである。これによれば、スクリューリング３０の回転により、係合部１２Ａの山１０１の斜面１０１Ａと係合部２１Ａの山１０２の斜面１０２Ａが相衝合して締め込まれていくとき、山１０１と山１０２が互いに噛み込んで停止し、スクリューリング３０を更に回転すると、両係合部１２Ａ、２１Ａをゆるめる方向への山１０１と山１０２が隙間なく噛み合ってガタが生じず、安定した噛合い係合状態を確保できる。
【００２５】
図６（Ｂ）は、容器本体１１の係合部１２Ａの山１０１とノズルキャップ２０の係合部２１Ａの山１０２が、それらの締め込み方向（Ｆ）で相衝合する側の斜面１０１Ａ、１０２Ａの傾きを反対側の斜面の傾きよりも緩傾斜面にしたものである。この場合には、スクリューリング３０の回転により、係合部１２Ａの山１０１の斜面１０１Ａと係合部２１Ａの山１０２の斜面１０２Ａが相衝合して締め込まれていくとき、山１０１と山１０２が互いに隙間なく噛み合いできず、両係合部１２Ａ、２１Ａを固くなるまで締め込んでも、両係合部１２Ａ、２１Ａをゆるめる方向への山１０１と山１０２のガタ（図６（Ｂ）のＬ）を生じ、安定した噛合い係合状態を確保できない。
【００２６】
図７は、図６（Ａ）と同様に、容器本体１１の係合部１２Ａの山１０１とノズルキャップ２０の係合部２１Ａの山１０２が、それらの締め込み方向（Ｆ）で相衝合する側の斜面１０１Ａ、１０２Ａの傾きを反対側の斜面１０１Ｂ、１０２Ｂの傾きよりも急傾斜面（概ね垂直面）にしたものである。
【００２７】
更に、図７では、係合部１２Ａの山１０１の緩斜面１０１Ｂと係合部２１Ａの山１０２の緩斜面１０２Ｂの傾きを、図８（Ａ）に示す如く、容器本体１１の雄ねじ部１２Ｂとスクリューリング３０の雌ねじ部３１Ｂのねじの傾きと同じにした。尚、係合部１２Ａの山１０１の緩斜面１０１Ｂの傾斜を、図８（Ｂ）に示す如く、容器本体１１の雄ねじ部１２Ｂとスクリューリング３０の雌ねじ部３１Ｂのねじの傾きに対し、ノズルキャップ２０の締め込み方向で水平方向に対して大きな角度θの傾斜にしても良い。これらによれば、スクリューリング３０の雌ねじ部３１Ｂを容器本体１１の雄ねじ部１２Ｂに締め込むとき、スクリューリング３０に連れ回るノズルキャップ２０の係合部２１Ａの緩斜面１０２Ｂが容器本体１１の係合部１２Ａの山１０１の緩斜面１０１Ｂの上面に沿って抵抗なくスムースに滑り、ノズルキャップ２０がスクリューリング３０にスムースに連れ回る。ノズルキャップ２０の係合部２１Ａの山１０２の急斜面１０２Ａが容器本体１１の係合部１２Ａの山１０１の急斜面１０１Ａに相衝合して締め込まれ、それらの山１０１と山１０２が互いに噛み込んで停止する噛合い係合状態に至るものになる。スクリューリング３０を更に回転すると、ノズルキャップ２０の係合部２１Ａの山１０２の緩斜面１０２Ｂがスクリューリング３０の軸方向で容器本体１１の係合部１２Ａの山１０１の緩斜面１０１Ｂに近接又は密着するように落とし込まれ、両係合部１２Ａ、２１Ａをゆるめる方向において山１０１と山１０２が隙間なく噛み合ってガタが生じず、安定した噛合い係合状態を確保できる。
【００２８】
容器本体１１とノズルキャップ２０は、両係合部１２Ａ、２１Ａの山１０１、１０２の急斜面１０１Ａ、１０２Ａが相衝合する噛合い係合状態で、容器本体１１とノズルキャップ２０の両係合部１２Ａ、２１Ａの山１０１、１０２の緩斜面１０１Ｂ、１０２Ｂ同士は、図９に示す如く、容器本体１１のインナーシール部１１Ｓとノズルキャップ２０のインナーシール部２０Ｓとを確実に密着させるため、それらの山１０１の緩斜面１０１Ｂと山１０２の緩斜面１０２Ｂの間に微小隙間ｇを介することが好ましい。
【００２９】
また、容器本体１１の係合部１２Ａの山１０１が上述の急斜面１０１Ａと緩斜面１０１Ｂを備え、ノズルキャップ２０の係合部２１Ａの山１０２が上述の急斜面１０２Ａと緩斜面１０２Ｂとからなり、容器本体１１の係合部１２Ａの山１０１の緩斜面１０１Ｂとノズルキャップ２０の係合部２１Ａの山１０２の緩斜面１０２Ｂの傾きを、容器本体１１とスクリューリング３０の互いに螺着するねじ１２Ｂ、３１Ｂの傾きと同じにする上述の図７の例では、更に以下の構成を具備することが好ましい。即ち、図１０（Ａ）に示す如く、スクリューリング３０が取付けられたノズルキャップ２０を容器本体１１の口部１２に嵌着させた状態下で、スクリューリング３０の雌ねじ部３１Ｂの先端と、容器本体１１の雄ねじ部１２Ｂの先端部とが、スクリューリング３０の回転方向で一致したとき、ノズルキャップ２０の係合部２１Ａの山１０２の急斜面１０２Ａと緩斜面１０２Ｂの交差部１０２Ｃと、容器本体１１の係合部１２Ａの山１０１の急斜面１０１Ａと緩斜面１０１Ｂの交差部１０１Ｃとが、スクリューリング３０の回転方向で合致する状態で、ノズルキャップ２０の係合部２１Ａの山１０２の急斜面１０２Ａと緩斜面１０２Ｂの交差部１０２Ｃが、容器本体１１の係合部１２Ａの山１０１の急斜面１０１Ａと緩斜面１０１Ｂの交差部１０１Ｃに対して、スクリューリング３０の軸方向に沿う隙間ｆを有するものとする。これによれば、スクリューリング３０が取付けられたノズルキャップ２０を容器本体１１の口部１２に嵌着したとき、ノズルキャップ２０の外周に備えるスクリューリング３０の回転方向取付位置がいずれにあっても、スクリューリング３０の雌ねじ部３１Ｂが必ず容器本体１１の雄ねじ部１２Ｂに届き、かつノズルキャップ２０の緩斜面１０２Ｂが容器本体１１の緩斜面１０１Ｂに対して上述の隙間ｆを介する。従って、スクリューリング３０の雌ねじ部３１Ｂを容器本体１１の雄ねじ部１２Ｂに締め込むとき、図１０（Ａ）〜（Ｄ）に示す如く、スクリューリング３０の回転に連れ回るノズルキャップ２０の係合部２１Ａの山１０２の緩斜面１０２Ｂが、容器本体１１の係合部１２Ａの山１０１の緩斜面１０１Ｂに付着している内容液の固着物等に擦れることなく、両係合部１２Ａ、２１Ａの山１０１、１０２の急斜面１０１Ａ、１０２Ａが相衝合する噛合い係合位置までスムースに回転できるものになる。
【００３０】
図１１は、図１０と異なり、スクリューリング３０が取付けられたノズルキャップ２０を容器本体１１の口部１２に嵌着した状態で、ノズルキャップ２０の係合部２１Ａの山１０２の急斜面１０２Ａと緩斜面１０２Ｂの交差部１０２Ｃが、容器本体１１の係合部１２Ａの山１０１の急斜面１０１Ａと緩斜面１０１Ｂの交差部１０１Ｃに対して、スクリューリング３０の軸方向に沿う隙間を有しない状態を示したものである。この場合には、スクリューリング３０が取付けられたノズルキャップ２０を容器本体１１の口部１２に嵌着したとき、ノズルキャップ２０の外周に備えるスクリューリング３０の回転方向取付位置によっては、スクリューリング３０の雌ねじ部３１Ｂが容器本体１１の雄ねじ部１２Ｂに届かず、ノズルキャップ２０の緩斜面１０２Ｂが容器本体１１の緩斜面１０１Ｂに対して上述の隙間ｆを介さない、ノズルキャップ２０がスクリューリング３０にスムースに連れ回らないものになる。
【００３１】
更に、上述の図１０の例では、容器本体１１の係合部１２Ａの山１０１の緩斜面１０１Ｂと、ノズルキャップ２０の係合部２１Ａの山１０２の緩斜面１０２Ｂの締め込み方向に沿う１以上の位置、例えば２箇所の位置に、それらの山１０１、１０２の急斜面１０１Ａ、１０２Ａが相衝合する噛合い係合状態（図１０（Ｄ））で、それらが反締め込み方向において係止し合う緩み止め段差部１０１Ｄ、１０２Ｄを設けた。これによれば、容器本体１１とノズルキャップ２０の両係合部１２Ａ、２１Ａの山１０１、１０２の急斜面１０１Ａ、１０２Ａが相衝合する前述の噛合い係合状態で、それらの山１０１、１０２の緩斜面１０１Ｂ、１０２Ｂが互いに前述の微小隙間ｇ（図９）を介するとき、それらの山１０１、１０２の緩斜面１０１Ｂ、１０２Ｂに設けてある上記微小隙間以上の段差高さｈをもつ緩み止め段差部１０１Ｄ、１０２Ｄが互いに係止し合って、両係合部１２Ａ、２１Ａをゆるめる方向への回転を確実に阻止する。
【００３２】
本実施形態では、容器本体１１の係合部１２Ａとノズルキャップ２０の係合部２１Ａを山１０１、１０２で構成し、山１０１をその頂部の両側斜面１０１Ａ、１０１Ｂの組合せからなるものにし、山１０２をその頂部の両側斜面１０２Ａ、１０２Ｂの組合せからなるものにした。但し、容器本体１１の係合部１２Ａとノズルキャップ２０の係合部２１Ａは、どちらか一方が、その頂部の両側を斜面とするものであればよく、もう一方を平面又は円弧状面からなる頂部の両側を概ね垂直壁面とするように屹立した凸状係合部からなるものにすることもでき、同様の効果が得られる。
【００３３】
また、容器本体１１とノズルキャップ２０の周方向に設ける係合部１２Ａと係合部２１Ａの個数を増減させることもできる。特に、係合部１２Ａと係合部２１Ａの個数を減らし、容器本体１１とノズルキャップ２０の周方向の例えば各２箇所に係合部１２Ａ、２１Ａを設けることで、ノズルキャップ２０を図１に対する特定の方向、例えば容器本体１１の横断面が楕円であるときに、ノズルキャップ２０を容器本体１１のその楕円の長軸方向に位置合せすることができる。更に、容器本体１１とノズルキャップ２０の周方向の例えば各１箇所に係合部１２Ａ、２１Ａを設ければ、ノズルキャップ２０を容器本体１１に対する方向のみならず、特定の向きに定めることもでき、ノズルキャップ２０の注出口２５を容器本体１１に対する特定の方向に位置付けることができ、使い勝手の良い容器１０を提供できる。
【産業上の利用可能性】
【００３４】
本発明によれば、容器の通常使用時における計量キャップの取り外し回転にノズルキャップが共回りして外れることを防止し、内容物の詰替え時にスクリューリングを容器本体から取り外すと同時にノズルキャップも直ちに外れて詰替え容易な広い口部を形成することができる。
【符号の説明】
【００３５】
１０  容器
１１  容器本体
１２  口部
１２Ａ  係合部
１２Ｂ  雄ねじ部
１０１  山
１０１Ａ  急斜面
１０１Ｂ  緩斜面
１０１Ｃ  交差部
１０１Ｄ  緩み止め段差部
２０  ノズルキャップ
２１Ａ  係合部
１０２  山
１０２Ａ  急斜面
１０２Ｂ  緩斜面
１０２Ｃ  交差部
１０２Ｄ  緩み止め段差部
２５  注出口
３０  スクリューリング
３１Ｂ  雌ねじ部
４０  計量キャップ
【図１】
0005700433.tif 000002
【図２】
0005700433.tif 000003
【図３】
0005700433.tif 000004
【図４】
0005700433.tif 000005
【図５】
0005700433.tif 000006
【図６】
0005700433.tif 000007
【図７】
0005700433.tif 000008
【図８】
0005700433.tif 000009
【図９】
0005700433.tif 000010
【図１０】
0005700433.tif 000011
【図１１】
0005700433.tif 000012